(57)【要約】【課題】地盤振動に起因する生活空間の不快な環境を改善するとともに、特別に高強度の杭本体を使用せずに工事費用増大の軽減を図ることを目的とする。【解決手段】地盤振動ａの伝播範囲内の地盤Ａ中に打設される杭本体９を有する杭基礎３において、地盤Ａと杭本体９の杭周面との間に防振体１２が介在されている。また、地盤振動ａの振動発生源１と被防振地盤Ｂとの間の地盤Ａ中に帯状に設けられている防振体１２からなる地中壁体構造物１６において、防振体１２の中には、複数の空隙およびこの空隙を貫通する複数の通水孔が設けられ、空隙は通水孔によって外部と連通されている。【選択図】　　　図１
2004124548.tif 000002
【特許請求の範囲】
【請求項１】
地盤振動の伝播範囲内の地盤中に打設され、前記地盤の上方に構築される構造物を支持する杭本体を有する杭基礎において、
前記地盤と前記杭本体の杭周面との間に防振体が介在されていることを特徴とする杭基礎。
【請求項２】
請求項１記載の杭基礎において、
前記防振体は、前記杭周面に並行に設けられた二重のコンクリート板の間に介在されていることを特徴とする杭基礎。
【請求項３】
請求項２記載の杭基礎において、
前記防振体の内周面および外周面には防振体凹凸面が形成され、前記コンクリート板の前記防振体との接合面には前記防振体凹凸面に噛み合うコンクリート板凹凸面が形成されていることを特徴とする杭基礎。
【請求項４】
請求項１記載の杭基礎において、
前記防振体の外周は、鋼板によって被覆されていることを特徴とする杭基礎。
【請求項５】
請求項４記載の杭基礎において、
前記鋼板には、前記防振体の方向に向かって突起部が設けられていることを特徴とする杭基礎。
【請求項６】
請求項１から５のいずれかに記載の杭基礎において、
前記防振体は、ブロック状の防振材が組積されて構成されていることを特徴とする杭基礎。
【請求項７】
請求項１から６のいずれかに記載の杭基礎において、
前記防振体の中には複数の空隙および該空隙を貫通する複数の通水孔が設けられ、前記空隙は前記通水孔によって外部と連通されていることを特徴とする杭基礎。
【請求項８】
地盤振動の振動発生源と該振動発生源に隣接する被防振地盤との間で前記地盤振動の伝播範囲内の地盤中に帯状に設けられている防振体からなる地中壁体構造物において、
前記防振体の中には複数の空隙および該空隙を貫通する複数の通水孔が設けられ、前記空隙は前記通水孔によって外部と連通されていることを特徴とする地中壁体構造物。
【請求項９】
地盤振動の伝播範囲内の地盤中に打設して、前記地盤の上方に構築される構造物を支持する杭本体を有する杭基礎の施工方法において、
筒形に形成され軸方向に貫通孔を有する防振体を前記地盤に鉛直に掘られた杭孔に鉛直に配設し、前記貫通孔に前記杭本体を打設することを特徴とする杭基礎の施工方法。
【請求項１０】
地盤振動の伝播範囲内の地盤中に打設して、前記地盤の上方に構築される構造物を支持する杭本体を有する杭基礎の施工方法において、
予め既製杭からなる前記杭本体の杭周面に防振体を被覆して、前記地盤に鉛直に掘られた杭孔に前記杭本体を打設することを特徴とする杭基礎の施工方法。
【請求項１１】
地盤振動の振動発生源と該振動発生源に隣接する被防振地盤との間で前記地盤振動の伝播範囲内の地盤中に帯状に設けられている防振体からなる地中壁体構造物の施工方法において、
前記地盤内に両側に傾斜面を有する溝を帯状に設けて、前記防振体の底面から鉛直方向に空隙が設けられている前記防振体を前記溝の中に帯状に構築することを特徴とする地中壁体構造物の施工方法。
【請求項１２】
地盤振動の振動発生源と該振動発生源に隣接する被防振地盤との間で前記地盤振動の伝播範囲内の地盤中に帯状に設けられている防振体からなる地中壁体構造物の施工方法において、
前記地盤内に複数の矢板を前記防振体の高さよりも深く連続的に二列並行に打設し、前記矢板の間を掘削して帯状の溝を設け、前記防振体を前記溝の中に配設することを特徴とする地中壁体構造物の施工方法。
【発明の詳細な説明】
【０００１】
【発明の属する技術分野】
本発明は、道路交通や鉄道交通等により発生する振動が、地盤を介して隣接する地域や構造物の杭に伝播することを防止するための杭基礎、地中壁体構造物およびそれらの施工方法に関する。
【０００２】
【従来の技術】
一般に、道路、鉄道、トンネルや地下鉄等の地下構造物、高架の基礎、工場等を振動発生源とする地盤振動は、振動伝播範囲内の地盤中に配設された杭基礎に地盤を介して伝達され、この杭基礎により支持されている構造物に伝播することで、構造物内に形成されている生活空間に不快な環境を与えることが知られている。
【０００３】
従来、地盤振動が構造物に伝達することを防止するための構造物の杭基礎として、先端部に構造物を支持する支持構造体が設けられた杭本体が、振動伝播範囲内の地盤中に配設された中空の外側杭体の内部に、空隙が生じるように収容される構成からなるものが知られている。この杭基礎により、構造物は杭本体を介して支持構造体で支持されるとともに、外側杭体の内部の杭本体は周辺地盤と隔離される。このため、地盤振動は生活空間を形成する構造物に伝達されず、人間生活に不快な環境を与えることがない（例えば、特許文献１参照。）。
【０００４】
【特許文献１】
特開平１１−１４０８８８号公報　（第２−３頁、第１図）
【０００５】
【発明が解決しようとする課題】
しかしながら、上記した従来の杭基礎によれば、杭本体は外側杭体の内部に空隙が生じるように収容されているため、杭本体の杭周面面には支持力が作用しない。このため、杭本体の座屈を防止するとともに地震などの横揺れに対して対抗し得る耐震性能を確保するために相当強度の高い杭本体が必要であり、工事費用が増幅するという問題が存在する。
【０００６】
本発明は、上記した従来の問題が考慮されたものであり、地盤振動に起因する生活空間の不快な環境を改善するとともに、特別に高強度の杭本体を使用せずに工事費用増大の軽減を図ることを目的とする。
【０００７】
【課題を解決するための手段】
請求項１記載の発明は、地盤振動の伝播範囲内の地盤中に打設され、前記地盤の上方に構築される構造物を支持する杭本体を有する杭基礎において、前記地盤と前記杭本体の杭周面との間に防振体が介在されていることを特徴としている。
【０００８】
このような特徴により、杭基礎を介して構造物に伝達される地盤振動は吸収される。
【０００９】
請求項２記載の発明は、請求項１記載の杭基礎において、前記防振体は、前記杭周面に並行に設けられた二重のコンクリート板の間に介在されていることを特徴としている。
【００１０】
このような特徴により、防振体の表面は保持され、長期的に地盤振動の振動吸収効果を確保する。
【００１１】
請求項３記載の発明は、請求項２記載の杭基礎において、前記防振体の内周面および外周面には防振体凹凸面が形成され、前記コンクリート板の前記防振体との接合面には前記防振体凹凸面に噛み合うコンクリート板凹凸面が形成されていることを特徴としている。
【００１２】
このような特徴により、コンクリート板と防振体との接触面積が大きくなるため、コンクリート板と防振体との間に働く摩擦力は増大し、この摩擦力が地下水などにより防振体に作用する浮力に対抗する。また、防振体凹凸面がコンクリート板凹凸面に噛み合うことでコンクリート板の重量が防振体に作用し、このコンクリート板の重量が地下水などにより防振体に作用する浮力に対抗する。
【００１３】
請求項４記載の発明は、請求項１記載の杭基礎において、前記防振体の外周は、鋼板によって被覆されていることを特徴としている。
【００１４】
このような特徴により、防振体の表面は保持され、長期的に地盤振動の振動吸収効果を確保する。
【００１５】
請求項５記載の発明は、請求項４記載の杭基礎において、前記鋼板には、前記防振体の方向に向かって突起部が設けられていることを特徴としている。
【００１６】
このような特徴により、突起部により鋼板と防振体とは固定され、この鋼板の重量は地下水などにより防振体に作用する浮力に対抗する。
【００１７】
請求項６記載の発明は、請求項１から５のいずれかに記載の杭基礎において、前記防振体は、ブロック状の防振材が組積されて構成されていることを特徴としている。
【００１８】
このような特徴により、防振体は条件に合わせて適宜形状や大きさを容易に変更することができる。
【００１９】
請求項７記載の発明は、請求項１から６のいずれかに記載の杭基礎において、前記防振体の中には複数の空隙および該空隙を貫通する複数の通水孔が設けられ、前記空隙は前記通水孔によって外部と連通されていることを特徴としている。
【００２０】
このような特徴により、防振体の体積は減少するため、地下水などにより防振体に作用する浮力は小さくなる。
【００２１】
請求項８記載の発明は、地盤振動の振動発生源と該振動発生源に隣接する被防振地盤との間で前記地盤振動の伝播範囲内の地盤中に帯状に設けられている防振体からなる地中壁体構造物において、前記防振体の中には複数の空隙および該空隙を貫通する複数の通水孔が設けられ、前記空隙は前記通水孔によって外部と連通されていることを特徴としている。
【００２２】
このような特徴により、被防振地盤に伝播する地盤振動は防振体により吸収される。また、防振体に設けられた空隙により体積は縮小するため、地下水などにより防振体に作用する浮力は小さくなる。
【００２３】
請求項９記載の発明は、地盤振動の伝播範囲内の地盤中に打設して、前記地盤の上方に構築される構造物を支持する杭本体を有する杭基礎の施工方法において、筒形に形成され軸方向に貫通孔を有する防振体を前記地盤に鉛直に掘られた杭孔に鉛直に配設し、前記貫通孔に前記杭本体を打設することを特徴としている。
【００２４】
このような特徴により、地盤振動伝播範囲内の杭本体の杭周面に防振体が形成され、杭基礎を介して構造物に伝達される地盤振動は吸収される。
【００２５】
請求項１０記載の発明は、地盤振動の伝播範囲内の地盤中に打設して、前記地盤の上方に構築される構造物を支持する杭本体を有する杭基礎の施工方法において、予め既製杭からなる前記杭本体の杭周面に防振体を被覆して、前記地盤に鉛直に掘られた杭孔に前記杭本体を打設することを特徴としている。
【００２６】
このような特徴により、防振体の配設と杭本体の打設が同時に行われる。
【００２７】
請求項１１記載の発明は、地盤振動の振動発生源と該振動発生源に隣接する被防振地盤との間で前記地盤振動の伝播範囲内の地盤中に帯状に設けられている防振体からなる地中壁体構造物の施工方法において、前記地盤内に両側に傾斜面を有する溝を帯状に設けて、前記防振体の底面から鉛直方向に空隙が設けられている前記防振体を前記溝の中に帯状に構築することを特徴としている。
【００２８】
このような特徴により、空隙を有することで体積が縮小することで防振体に作用する浮力が減少し、防振体は地盤振動の振動発生源と振動発生源に隣接する被防振地盤との間に形成される。この防振体によって、被防振地盤に伝達される地盤振動は吸収される。
【００２９】
請求項１２記載の発明は、地盤振動の振動発生源と該振動発生源に隣接する被防振地盤との間で前記地盤振動の伝播範囲内の地盤中に帯状に設けられている防振体からなる地中壁体構造物の施工方法において、前記地盤内に複数の矢板を前記防振体の高さよりも深く連続的に二列並行に打設し、前記矢板の間を掘削して帯状の溝を設け、前記防振体を前記溝の中に配設することを特徴としている。
【００３０】
このような特徴により、矢板が溝の側面の土圧を抑止するため、溝の周辺地盤の崩壊は防止される。
【００３１】
【発明の実施の形態】
以下、本発明の第１、第２、第３の実施の形態について、図面に基づいて説明する。
【００３２】
〈第１の実施の形態〉
本発明に係る杭基礎、地中壁体構造物およびその施工方法の第１の実施の形態について説明する。
【００３３】
図１に示すように、振動発生源１は、自動車や電車の交通振動等により発生する地盤振動ａの発生源であり、道路、地下鉄トンネル、高架の基礎等である。振動発生源１の近隣には、構造物２が建てられており、構造物２の下部には地盤Ｇ内に鉛直に配設される杭基礎３が設けられており、上部には柱４と梁５を有する上部構造体６が構築されている。上部構造体６内には、集合住宅や事務所等の生活空間７が形成されている。杭基礎３の上方には、上部構造体６の荷重を最下階の柱４から杭基礎３に伝達するフーチング８が設けられている。
【００３４】
振動発生源１より発生する地盤振動ａが伝播する伝播範囲内の地盤Ａ内の杭基礎３は、上部構造体６の荷重を地盤Ｇに伝達する杭本体９と、地盤振動ａの伝播を吸収する防振部１０とから構成されている。杭本体９は、既製コンクリート杭からなるものであり、杭天端はフーチング８の下部に若干（１００ミリメートル程度）入り込んでフーチング８と一体化されている。
【００３５】
図１、図２に示すように、地盤振動ａの伝播範囲内の地盤Ａと当該杭本体９の杭周面９ａとの間には防振部１０が介在されており、地盤振動ａが伝達しない地盤Ｇ内の杭本体９は地盤Ｇに接している。防振部１０は、内側コンクリート板１１ａおよび外側コンクリート板１１ｂからなる二重のコンクリート板１１と、複数のブロック状の防振材１２ａからなる防振体１２とで構成されている。内側コンクリート板１１ａは、杭周面９ａに沿って設けられた中空円筒形のものであり、外側コンクリート板１１ｂは、内側コンクリート板１１ａの外方に設けられ内側コンクリート板１１ａの外周面に沿って設けられた中空円筒形のものである。内側コンクリート板１１ａおよび外側コンクリート板１１ｂの内部には、それぞれ複数のひび割れ防止鉄筋１３が間隔をあけて鉛直に配設されている。内側コンクリート板１１ａと外側コンクリート板１１ｂとの間には、防振体１２が介在されている。防振体１２は、内側コンクリート板１１ａおよび外側コンクリート板１１ｂとそれぞれ密着した状態で配設されている。
【００３６】
図３に示すように、内側コンクリート板１１ａの外周面および外側コンクリート板１１ｂの内周面にはコンクリート板凹凸面１４が形成されており、防振体１２の内周面及び外周面には防振体凹凸面１５が形成されている。コンクリート板凹凸面１４および防振体凹凸面１５は、それぞれ水平方向に延びている凹部或いは凸部を有しており、互いに噛み合うような凹部或いは凸部が形成されている。
【００３７】
図２、図４に示すように、防振体１２は、複数の防振材１２ａを中空円筒形に組積することで形成されている。防振材１２ａは、断面形状がＴ字形および逆Ｔ字形の合成樹脂発泡体ブロックであり、鉛直方向に互い違いに組積されている。
【００３８】
図１に示すように、地盤振動ａの伝播範囲内である地盤Ａ内には、被防振地盤Ｂが存在している。この被防振地盤Ｂと振動発振源１との間には、地表面から鉛直下方向に設けられる地中壁体構造物１６が帯状に介在されている。図５に示すように、地中壁体構造物１６は、地盤振動ａを吸収する防振体１７からなるものであり、防振体１７は複数の防振材１７ａを壁状に組積することで形成されている。図６（ａ）、図６（ｂ）に示すように、防振材１７ａの中には、複数の矩形の空隙１７ｂおよび水平方向に空隙１７ｂを貫通する通水孔１７ｃが設けられており、空隙１７ｂは通水孔１７ｃによって連通されている。また、防振材１７ａの側面には複数の溝１７ｄが鉛直に設けられており、溝１７ｄの底面には通水孔１７ｃが設けられている。防振材１７ａの上面および下面には複数の溝１７ｅが設けられており、溝１７ｅの底面には空隙１７ｂに貫通する通気孔１７ｆが設けられている。また、空隙１７ａの内部は地盤Ａの地下水で満たされている。
【００３９】
次に、第１の実施の形態の施工方法について説明する。
【００４０】
まず、図１に示すように、杭基礎３の施工方法については、掘削径の拡張が可能なオーガヘッドを有するアースオーガにより、地盤Ｇ内に地表面から所定の深さまで鉛直に杭孔掘削を行う。地盤振動ａの伝播範囲内の地盤Ａの中においては、オーガヘッドの掘削径を拡大し、防振部１０の外径より若干大きい杭孔１８ａを所定の深さまで築造する。次に地盤振動ａの伝播範囲外の地盤Ｇにおいては、オーガヘッドの掘削径を通常の大きさに戻し、杭本体９の外径より若干大きい杭孔１８ｂを杭孔１８ａの低面から所定の深さまで築造する。
【００４１】
次に、中空円筒形に形成した軸方向に貫通孔１０ａを有する防振部１０を、杭孔１８ａの中に配設する。防振部１０は、防振材１２ａを組積して形成されている防振体１２を内側コンクリート板１１ａおよび外側コンクリート板１１ｂでサンドする構成からなっている。次に、杭本体９を、貫通孔１０ａの天端から挿入し、貫通孔１０ａ内を挿通させ、杭孔１８ｂ内まで打設する。防振材１２ａは、合成樹脂発泡体を材料とする部材であり、樹脂の種類としては、ポリスチレン、ポリプロピレン、フェノール樹脂、ポリウレタン等が用いられる。また、防振材１２ａは、地盤振動ａを減衰させる防振性のほかに、耐圧縮性、耐水性、耐久性に優れた部材である。
【００４２】
一方、図７に示すように、地中壁体構造物１６の施工方法については、被防振地盤Ｂと振動発振源１との間の地盤Ａ内に、複数の矢板１９を防振体１７の高さよりも深く連続的に二列並行に打設する。次に、二列並行に打設された矢板１９の間を所定の深さまで掘削し、帯状の溝２０を築造する。このとき、土圧による矢板１９の変形を小さくするため、矢板１９の上部に図示せぬ切梁を設置する。次に、予め防振材１７ａを壁状に形成してなる防振体１７を溝２０の中に配置する。その後、矢板１９および図示せぬ切梁を撤去する。
【００４３】
このような構成により、地盤振動ａの伝播範囲内の地盤Ａ中の杭本体９の杭周に、地盤振動ａを吸収する防振体１２を被覆することで、地盤振動ａは杭本体９を介して上部構造体６に伝達されない。これによって、生活空間７において地盤振動ａによる不快な影響は軽減できる。また、防振体１２はコンクリート板１１によってサンドされているため、地盤Ａ内の岩石などによる損傷からその表面は保護され、長期間に渡って振動吸収効果が期待できる。
【００４４】
さらに、前記防振体凹凸面１４とコンクリート板凹凸面１５が噛み合う構成になっているため、コンクリート板１１と防振体１２との接触面積を大きくなるためコンクリート板１１と防振体１２との間に働く摩擦力は増大し、また、防振体凹凸面１４がコンクリート板凹凸面１５に噛み合うことでコンクリート板１１の重量が防振体１２に作用する。この摩擦力およびコンクリート板１１の重量が地下水などにより防振体１２に作用する浮力に対抗し、防振体１２の浮き上がりを防止できる。
【００４５】
一方、地中壁体構造物１６は防振体１７からなり、防振体１７の内部には空隙１７ｂが設けられているため、この空隙１７ｂの分だけ体積は小さくなり、地下水などにより防振体１７に作用する浮力は小さくなる。これによって、防振体１７に作用する浮力を抑制するコンクリートなどは不要になり、コストの削減と工期の短縮が図れる。また、防振材１７ａの中を水平方向に貫通する通水孔１７ｃによって空隙１７ｂの中へ地下水が流入し、空隙１７ｂの中の空気は防振材１７ａの上下面に設けられた通気孔１７ｆから外部に流出する。
【００４６】
また、溝２０を築造する際に、矢板１９によって周辺の土圧に対抗しているため、周辺に近接する構造物がある場合等、周辺地盤に影響を与えないで施工することができる。
【００４７】
〈第２の実施の形態〉
本発明に係る杭基礎、地中壁体構造物およびその施工方法の第２の実施の形態について説明する。なお、第１の実施の形態で用いた構成要素と同一の構成要素には、第１の実施の形態と同じ符号を付してその説明を省略する。
【００４８】
図８に示すように、地中壁体構造物１６の施工方法について、被防振地盤Ｂと振動発振源１との間の地盤Ａ内をオープンカット工法により所定の深さまで帯状に掘削し、両側に傾斜面２１を有する溝２２を築造する。このとき、傾斜面２１の角度は地盤Ａの土質によって適当な角度を設けて土砂崩壊が起きないようにするとともに、傾斜面２１をシートなどで覆って養生するのが好ましい。次に、溝２２内に防振材１７ａを壁状に形成し防振体１７を帯状に構築する。その後、傾斜面２１と防振体１７との間の隙間に埋め戻し土２３によって地表面まで埋め戻しを行う。
【００４９】
第２の実施の形態によれば、溝２２を築造する際に、矢板１９が不要でありコストダウンを図ることができる。また、防振体１７を構築するための作業スペースが確保できる。
【００５０】
〈第３の実施の形態〉
本発明に係る杭基礎、地中壁体構造物およびその施工方法の第３の実施の形態について説明する。なお、第１、第２の実施の形態で用いた構成要素と同一の構成要素には、第１、第２の実施の形態と同じ符号を付してその説明を省略する。
【００５１】
図９に示すように、地盤振動ａの伝播範囲内の地盤Ａと当該杭本体９の杭周面９ａとの間には防振部２４が介在されており、地盤振動ａが伝達しない地盤Ｇ内の杭本体９は地盤Ｇに接している。防振部２４は、複数のブロック状の防振材２５ａからなる防振体２５と鋼板２６とで構成されている。
【００５２】
図９、図１０に示すように、防振体２５は、複数の防振材２５ａを中空円筒形に組積することで形成されており、防振材１２ａは、対向する湾曲面を有する長方体の合成樹脂発泡体ブロックである。防振体２５の外周は、鋼板２６によって被覆されており、鋼板２６は中空円筒形の形状をしている。鋼板２６の内周面には、Ｌ型アングル２７の一端部の外側面が水平に複数接合されており、Ｌ型アングル２７の他端部は鋼板２６の内周面に垂直に成され、防振体２５の方向に突出する突起部２７が形成されている。突起部２７は、上下の防振材２５ａとの接合部に一定間隔をあけて配置されている。
【００５３】
次に、第３の実施の形態の施工方法について説明する。
【００５４】
まず、予め防振体２５と鋼板２６とで構成された防振部２４を、接着剤などにより杭本体９の所定の位置に取り付けて一体にしておく。次に、図１に示すように、防振部２４が取り付けられた杭本体９を杭孔１８ａ、１８ｂ内に挿入し、杭本体９の先端が杭孔１８ｂの底部まで達するところまで打設する。
【００５５】
第３の実施の形態によれば、地盤振動ａを吸収する防振体２５は鋼板２６によって被覆されているため、地盤Ａ内の岩石などによる損傷からその表面は保護され、長期間に渡って振動吸収効果が期待できる。
【００５６】
また、鋼板２６には防振体２５の方に突出する突起部２８が設けられ、この突起部２８は防振体２５を形成する防振材２５ａの接合部に介在しているため、防振体２５に鋼板２６の重量が作用し、地下水などにより防振体１２に作用する浮力に対抗する。これによって、防振体２５の浮き上がりを防止できる。
【００５７】
さらに、防振体２５と鋼板２６とで構成された防振部２４を予め杭本体９に取り付けておくことで、防振部２４の配設作業と杭本体９の打設作業が同時に行われるので、工期の短縮を図ることができる。
【００５８】
以上、本発明に係る杭基礎、地中壁体構造物およびそれらの施工方法について説明したが、本発明は第１、第２、第３の実施の形態に限定されるものではなく、その趣旨を逸脱しない範囲で適宜変更可能である。例えば、第１、第３の実施の形態では、杭本体９の杭周に配置される防振体１２、２５は、合成樹脂発泡体からなるブロック状の防振材１２ａ、２５ａを形成してなるものを使用しているが、中空円筒形に加工された防振体１２、２５を使用してもよく、或いは現場で発泡させて中空円筒形に成形する防振体１２、２５を使用してもよい。また、合成樹脂発泡体に換えて、防振性に優れた防振ゴム、或いは内部に空隙を有するとともに空隙を貫通する合成樹脂発泡体を使用してもよい。さらに、杭本体９に既製コンクリート杭を使用しているが、鋼管杭、鋼管コンクリート杭、場所打コンクリート杭等を使用してもよい。
【００５９】
【発明の効果】
本発明に係る杭基礎、地中壁体構造物およびそれらの施工方法によれば、地盤振動の伝播範囲内の地盤と杭本体の杭周面の間に地盤振動を吸収する防振体を介在させることで、地盤振動に起因する生活空間の不快な環境を改善することができる。杭本体の性能を向上させる必要はなく、安価な材料と単純な形状により防振対策ができるため、工事費用増大の軽減を図ることができる。また、通水孔によって外部と連通されている空隙を有する防振体を使用することで、防振体に作用する浮力を抑制するコンクリートなどを不用になるため、コストの削減および工期の短縮が図れる。
【図面の簡単な説明】
【図１】本発明の第１の実施の形態を説明する断面図である。
【図２】本発明の第１の実施の形態の杭基礎を説明する水平断面図である。
【図３】本発明の第１の実施の形態の杭基礎を説明する断面図である。
【図４】本発明の第１の実施の形態の防振体を説明する詳細図である。
【図５】本発明の第１の実施の形態の地中壁体構造物を説明する断面図である。
【図６】（ａ）は本発明の第１の実施の形態の地中壁体構造物を構成する防振体を説明する断面図である。
【図７】本発明の第１の実施の形態の地中壁体構造物の施工方法を説明する断面図である。
【図８】本発明の第２の実施の形態の地中壁体構造物の施工方法を説明する断面図である。
【図９】本発明の第３の実施の形態の杭基礎を説明する水平断面図である。
【図１０】本発明の第３の実施の形態の杭基礎を説明する断面図である。
【符号の説明】
１　　振動発振源
２　　構造物
３　　杭基礎
９　　杭本体
９ａ　杭周面
１０ａ貫通孔
１１　コンクリート板
１２、１７、２５　防振体
１２ａ、１７ａ、２５ａ　防振材
１４　防振体凹凸面
１５　コンクリート板凹凸面
１６　地中壁体構造物
１７ｂ空隙
１７ｃ通水孔
１８ａ、１８ｂ　杭孔
１９　矢板
２０、２２　溝
２１　傾斜面
２６　鋼板
２８　突起部
Ｇ　　地盤
Ａ　　地盤振動の伝播範囲内の地盤
Ｂ　　被防振地盤
ａ　　地盤振動
【図１】
2004124548.tif 000003
【図２】
2004124548.tif 000004
【図３】
2004124548.tif 000005
【図４】
2004124548.tif 000006
【図５】
2004124548.tif 000007
【図６】
2004124548.tif 000008
【図７】
2004124548.tif 000009
【図８】
2004124548.tif 000010
【図９】
2004124548.tif 000011
【図１０】
2004124548.tif 000012